【事件の表示】
　特許第２９４４４７８号「暖房乾燥機」の請求項１ないし３、５に係る特許に対する特許異議の申立てについて、次のとおり決定する。
【結　論】
　特許第２９４４４７８号の請求項１ないし３、５に係る特許を維持する。
【理　由】
１．手続の経緯
　
　本件特許第2944478号の発明は、平成7年8月31日に出願され、平成11年6月25日に設定登録され、その後、平成12年3月6日に特許異議申立人青野哲巳による特許異議の申立てがなされたものである。
　
２．本件発明
　
本件特許の請求項１ないし請求項５に係る発明は特許明細書の特許請求の範囲の請求項１ないし請求項５に記載された事項により特定される次のとおりのものである。
　
【請求頃１】
　室内の空気を通風路（Ｌ）を通して循環通風させる通風手段（９）と、
前記通風路（Ｌ）内に設けられ、該通風路（Ｌ）内を通流する空気を加熱する加熱手段（Ｋ）と、
前記空気の温度を検出する温度検出手段（１１）と、
前記加熱手段（Ｋ）の加熱動作並びに前記通風手段（９）の通風動作を制御する制御手段（Ｈ）とが備えられ、
前記制御手段（Ｈ）は、前記通風手段（９）の通風動作が実行されているときに、前記温度検出手段（１１）の検出情報に基づいて、前記空気の温度が適正温度範囲に維持されるべく、前記加熱手段（Ｋ）の加熱動作を制御する温度制御を実行するように構成されている暖房乾燥機であって、
前記加熱手段（Ｋ）は、
熱源機（１４）により加熱された熱媒が供給され、前記空気を前記熱媒との間で熱交換させることにより加熱する熱交換器（１０）と、
前記熱交換器（１０）に対して前記熱媒を供給する熱媒供給状態と、供給を停止する供給停止状態とに切り換え自在な切換弁（１５）とを備えて構成され、
前記制御手段（Ｈ）は、
前記温度制御の実行中において、前記温度検出手段（１１）の検出情報に基づいて、前記切換弁（１５）の動作異常であるか否かを判別するように構成され、且つ、運転開始指令に伴って、前記熱源機（１４）による熱媒の加熱供給動作、及び、前記通風手段（９）の通風動作を開始させて、前記切換弁（１５）を前記熱媒供給状態と供給停止状態とに切り換えることによって前記温度制御を実行し、運転停止指令に伴って、前記熱源機（１４）の前記加熱供給動作、及び、前記通風手段（９）の通風動作を停止させるように構成され、
更に、前記温度制御の実行中において、前記動作異常であることを判別すると、前記通風手段（９）の通風動作を停止させ、且つ、前記熱源機（１４）の前記加熱供給動作を停止させるように構成されている暖房乾燥機。
　
【請求頃２】
　異常状態であることを報知する報知手段（１６）が備えられ、前記　制御手段（Ｈ）は、前記動作異常であることを判別すると、前記報知手段（１６）に報知動作を実行させるように構成されている請求項１記載の暖房乾燥機。
　
【請求項３】
　前記制御手段（Ｈ）は、
前記温度検出手段（１１）の検出値が第１設定温度を下回ると、前記加熱手段（Ｋ）による加熱動作を開始させ、前記検出値が前記第１設定温度よりも高い第２設定温度を越えると、前記加熱手段（Ｋ）による加熱動作を停止させることにより、前記温度制御を実行するように構成され、
且つ、前記検出値が前記第２設定温度よりも高い第３設定温度を越えると、前記動作異常であると判別するように構成されている請求項１又は２記載の暖房乾燥機。
　
【請求項４】
　前記制御手段（Ｈ）は、
前記加熱手段（Ｋ）に対する加熱動作の開始を指令した後に、前記温度検出手段（１１）の検出値の上昇量が設定量以下である状態が設定時間以上継続した場合、又は、前記加熱手段（Ｋ）に対する加熱動作の停止を指令した後に、前記温度検出手段（１１）の検出値の下降量が設定量以下である状態が設定時間以上継続した場合に、前記動作異常であると判別するように構成されている請求項１又は２記載の暖房乾燥機。　
　
【請求項５】
　前記熱媒が温水である請求項１、２、３又は４記載の暖房乾燥機。
　
３．特許異議の申立ての理由の概要
　
　特許異議申立人青野哲巳は、証拠として甲第１〜５号証を提出し、本件請求項１ないし請求項３，及び請求項５に係る特許発明は甲第１〜５号証に記載された発明に基づいて当業者が容易に発明をすることができたものであるから、特許法２９条第２項の規定により特許を受けることができないものであり、本件の請求項１ないし請求項３，及び請求項５に係る特許は、特許法第１１３条第１項第２号の規定により取り消すべき旨主張するものであり、以下の証拠を提出している。
　
　甲第１号証：特開平７−２４１９４号公報
　甲第２号証：特開平６−２９６７９８号公報
　甲第３号証：特開平１−２７７１２０号公報
　甲第４号証：特開平１−２４７９２５号公報
　甲第５号証：実願昭５６−９１０４７号（実開昭５７−２０１４４７号）のマイクロフィルム
　
４．甲各号証の記載内容
　
　甲第１号証には、「【００１３】‥‥‥先ず、図１に基づいて、浴室乾燥機の全体構成について説明する。‥‥‥
【００１４】ケーシング１の内部には、浴室の空気を吸気□ｌａから吸い込むとともにその吸い込み空気を吹出口ｌｂから浴室に通風する循環ファン５と、浴室の空気を浴室の外に通風する排気ファン６と、循環ファン５により浴室に通風される通風空気を加熱する熱交換器７とを設けてある。熱交換器７は、その熱交換部分が筒体８の内部に位置するように配置してあり、筒体８は、その下部開□を吹出口ｌｂに臨ませる状態で配置してある。‥‥‥
【００１５】浴室乾燥機とは別置きの熱源機（図示せず）から温水を熱交換器７に循環供給するように、熱交換器７に温水循環路１０を接続してあり、その温水循環路１０には、熱動弁Ｖを介装してある。又、循環ファン５により吸い込まれた浴室の空気の温度を検出する温度センサＳｔと‥‥‥
【００１６】‥‥‥図１中のＣは、マイクロコンピュータを利用した制御装置であり、この制御装置ＣはリモートコントローラＲからの指令、温度センサＳｔ及び湿度センサＳｈ夫々の検出情報に基づいて、循環ファン５及び排気ファン６夫々の作動制御、及び、熱動弁Ｖの開閉制御を実行する。‥‥‥
【００１９】図２に基づいて、通常時の制御作動について説明する。リモートコントローラＲから乾燥モードで運転開始指令が与えられると、熱動弁Ｖを開成し、循環ファン５及び排気ファン６夫々を、通風量大で作動させる。続いて、温度センサＳｔの検出温度が第１設定温度Ｔ1以上になると、循環ファン５の通風量を小に切り換える。‥‥‥続いて、湿度センサＳｈの検出湿度が第２設定湿度Ｈ２以下になってから、第１設定時間ｔｌが経過すると、循環ファン５及び排気ファン６を停止させるとともに、熱動弁Ｖを閉成する。従って、一回の乾燥作業が終了する。‥‥‥」と記載されている。（第３頁段落【００１３】〜第４頁段落【００１９】）
　即ち、本件の請求項１に係る発明の構成について、同号証には、「浴室の空気を吸気口ｌａから吸い込むとともにの吸い込み空気を吹出口ｌｂから浴室に通風する循環ファン５」、「循環ファン５により浴室に通風される通風空気を加熱する熱交換器７」、「循環ファン５により吸い込まれた浴室の空気の温度を検出する温度センサＳｔ」、「Ｃは、マイクロコンピューターを利用した制御装置であり、この制御装置ＣはリモートコントローラＲからの指令、温度センサＳｔ及び湿度センサＳｈ夫々の検出情報に基づいて、循環ファン５及び排気ファン６夫々の作動制御、及び、熱動弁Ｖの開閉制御を実行する」こと、「浴室乾燥機とは別置きの熱源機（図示せず）から温水を熱交換器７に循環供給するように、熱交換器７に温水循環路１０を接続してあり、その温水循環路１０には、熱動弁Ｖを介装してある。」ことが記載されている。
　
　甲第２号証には、「【００１３】そして、この浴室乾燥機は、３種の運転モードを備えており、乾燥運転モードとした時には、循環ファンブロック２及び換気ファンブロック４が駆動されるとともに、熱交換器３への熱湯供給が行われて、浴室内空気の加熱がなされるとともに、一部空気の排出が行われ、換気運転モードとした時には、換気ファンブロック４のみが駆動され、さらに冬季の入浴に際しての浴室暖房のための暖房運転モードでは、循環ファンブロック２の駆動と、熱交換器３への給湯供給が行われる。なお、熱交換器３への熱湯供給は、熱交換器３に付設した熱動弁３０を開くことによって行われる。電気的加熱素子で加熱した際のワックス・サーモ・エレメントの熱膨張を利用して開閉を行う上記熱動弁３０は、浴室内の室温を検知する室温センサーで検出される温度が例えば図１５に示すように、５２℃まで達すれば閉じるとともに４８℃まで下がれば開くように制御されて異常温度上昇を防止するだけでなく、図１６に示すように、室温が１０℃以下まで下がれば開き、１２℃まで上昇すれば閉じられるように制御されて、熱交換器３内での熱媒（水）の凍結を防止する。図１４はこの熱動弁３０の温度に応じた制御に対応する部分の回路図で、室温センサーとしてサーミスタＴｈを用いるとともに、４つのコンパレータＣＰで上記各温度を検出し、ゲートＧ２で熱動弁３０の開閉を行うとともに、異常温度上昇に対しては、ゲートＧ１を介して循環ファンブロック２及び換気ファンブロック４のオンオフも行っている。」と記載されている。（第４頁段落【００１３】）
　即ち、同号証には、温度に応じて熱動弁３０を開閉して温度制御を行い、動作異常時には通風手段のオンオフを行うことが開示されている。
　
　甲第３号証には、「点火器６とガス弁３がＯＮ状態になると、炎検知器７が作動して着火判定を行なうと共に、安全タイマと呼ばれるタイマ（Ｔ）の設定時間（ｔ）以内に、前記炎検知器７が出力しなければ着火不良として前記点火動作を解除し、アラーム表示動作を保持する。」（第１頁右欄第１０行〜第１５行）、「ここで再び炎検知器７が作動して着火判定を行ない、前記ｔ２を経過しても着火しない場合はアラーム動作となり、ｔ２以内に着火すれば燃焼動作へ移行して暖房運転を行なうことになる。」（第２頁右下欄第３行〜第７行）、及び「点火系統の故障に際し、生ガスの放出を減少すると共に、早期に運転を停止してアラーム動作（表示）を行なうことができる。」（第２頁右下欄第１６行〜第１９行）と記載されている。
　即ち、同号証には、ガス燃焼器、熱交換器、循環用ポンプ、加熱器及び送風機を備えた空気調和装置において、故障時に熱源機側の燃焼を停止すること、及び動作異常時に報知することが開示されている。
　
　甲第４号証には、「放熱器の運転開始時、又は運転開始後に、温度検出器（６）の検出温度が第１設定温度より低い場合には、暖房運転により室温が上昇し、検出温度が第２設定温度になるまで弁（１０）が開いていると共に、送風機（５）が運転し、放熱器から温風が吹出し、室内全体を略均一に短時間にて暖めることが可能になる。又、検出温度が第２設定温度になったときには弁（１０）が閉じると共に、送風機（５）が停止し、放熱器の過剰な運転が防止され、放熱器の運転コストの低減を図ることが可能になる。」（第２頁石上欄第１４行〜左下欄第４行）、及び「使用者が室温を例えば２０℃に設定し、運転スイッチ（図示せず）をオンしたとき、室温（温度検出器の検出温度）が設定温度より４ｄｅｇ 低い１６℃（第１設定温度）より低い場合には、抵抗（１３）、（１４）の中点の電圧と増幅回路（１７）からの出力電圧とに応じて立上りサーモ回路（２２）が動作しＨ信号（ハイレベル信号）を第１、第２オア回路（２５）、（２８）へ出力する。そして、第２オア回路（２８）がＨ信号を弁駆動回路（２９）へ出力し、弁駆動回路（２９）からの弁駆動信号に基づいて第２リレー（３０）がオンし、弁（１０）が開く。弁（１０）が開き、放熱器へ温水が循環し、温水温度が適温になると、第１オア回路（２５）と温水温度検出回路（２３）とからの信号に基づいて送風機駆動回路（２０）が送風機駆動信号を出力する。そして、この送風機駆動信号に基づいて第１リレー（２７）がオンし送風機（５）が運転を開始する。送風機（５）が運転を開始すると、熱交換器（４）を通り温度上昇した温風が吹出口（３）から吹出される。又、放熱パネル（１）からの幅射暖房が行われ、室温が次第に上昇し、温度検出器（６）の端子間電圧が次第に低下し、増幅回路（１７）の出力電圧も次第に低下する。室温が上昇し、設定温度より例えば２ｄｅｇ高く、弁（１０）の閉温度（例えば設定温度よりｌｄｅｇ 高い２１℃）、送風機（５）の停止温度（例えば設定温度よりｌｄｅｇ 低い １９℃）より高い第２設定温度の２２℃になると、立上りサーモ回路（２２）はＨ信号に換わりＬ信号（ローレベル信号）を出力する。立上りサーモ回路（２２）がＬ信号を出力すると、送風機オンオフ回路（２０）、及び弁開閉回路（２１）からＬ信号を入力していた第１、第２オア回路（２５）、（２８）がＨ信号に換わりＬ信号を出力する。そして、第１、第２リレー（２７）、（３０）がオフし、弁（１０）が閉じると共に送風機（５）の運転が停止する。」（第３頁右上欄第１４行〜右下欄第９行）と記載されている。
　即ち、同号証には、第１設定温度と第２設定温度との間で加熱装置をＯＮ／〇ＦＦして制御することが記載されている。
　
　甲第５号証には、「（１１）は電気ヒータ（４）の温度がｔ５度以上で遮断する温度ヒューズ（１２）と同じくｔ５度以上で開放するバイメタル等の常閉接点（１３）を有する異常過熱防止器である。」（第３頁第７行〜第１０行）、及び「それでも感温素子（８）の温度が上昇し温度がｔ４度に達すると常閉接点（２１）が開放され二段目の電気ヒータが停止し電気ヒー夕（４）の容量減少を行うがまだ温度が上昇してｔ５度に達すれば異常過熱防止器（１１）が作動して電磁継電器（１９）がオフとなり常開接点（１９′）が開放状態にもどり電気ヒータ（４）が全て停止し同時に常閉接点（１９″）が閉じて異常警報器（２０）が作動し前記予知警報器（２２）と合せて電気ヒータの異常過熱を警報する。」（第６頁第３行〜第１１行）と記載されている。
　即ち、同号証には、通常の制御時より高い温度ｔ５を異常時発生の目安として採用することが開示されている。
　
５．対比・判断
　
　請求項１に記載の発明と甲第１ないし５号証に記載の発明とを比較すると、甲第１ないし５号証記載の発明のいずれにも、請求項１に記載の発明の「前記温度制御の実行中において、前記温度検出手段（１１）の検出情報に基づいて、前記切換弁（１５）の動作異常であるか否かを判別するように構成され、‥‥‥更に、前記温度制御の実行中において、前記動作異常であることを判別すると、前記通風手段（９）の通風動作を停止させ、且つ、前記熱源機（１４）の前記加熱供給動作を停止させるように構成されている」点、が記載されておらず、示唆もされていない。
　そして、本件特許の請求項１に係る発明は、上記構成を有することにより、明細書に記載された作用効果を奏するものである。
　したがって、本件特許の請求項１に係る発明は甲第１号証ないし甲第５号証に記載された発明に基づいて当業者が容易に発明をすることができたものであるとすることはできない。
　
　本件特許の請求項２ないし請求項３、及び請求項５に係る発明は、同請求項１に係る発明をさらに限定するものであるから、請求項１に係る発明についての判断と同様の理由により、甲第１号証ないし甲第５号証に記載された発明に基づいて当業者が容易になし得たとすることはできない。
　
６．むすび
　
　以上のとおりであるから、特許異議申立ての理由及び証拠によっては、本件請求項１ないし請求項３、及び請求項５に係る発明の特許を取り消すことはできない。
　また、他に本件請求項１ないし請求項３、及び請求項５に係る特許を取り消すべき理由を発見しない。
　よって、結論のとおり決定する。　
【異議決定日】
平成１２年７月６日（２０００．７．６）